(57)【要約】【課題】本発明は目地部が狭くなり目地プレートの先端部が上方へ回動すると、この回動によって目地プレートの後端部を自動的に上方へスライド移動させて、目地プレートの後端部の上部が床躯体の上端部に大きな力が加わるのを効率よく阻止し、安全に使用することができる床用目地装置を得るにある。【解決手段】一方の目地部側床面に反目地部側が傾斜面に形成された目地プレート支持凹部と、この目地プレート支持凹部と対応する他方の目地部側床躯体の目地プレート支持凹部の下面部位よりも下部位置に上部が目地部側へ傾斜状態で突出するように固定された支持台と、この支持台に支持されるように後端下部が支持台と他方の目地部側床躯体との間に挿入されるクサビ状の支持片が形成され先端部が目地プレート支持凹部を覆うように支持される目地プレートと、この目地プレートの後端部の回動および所定量以上の上方への突出を阻止する移動規制手段とで床用目地装置を構成している。【選択図】  図２
2008088721.tif 000002
【特許請求の範囲】
【請求項１】
目地部を介して設けられた左右の床躯体の一方の目地部側床面に反目地部側が傾斜面に形成された目地プレート支持凹部と、この目地プレート支持凹部と対応する他方の目地部側床躯体の、該目地プレート支持凹部の下面部位よりも下部位置に、上部が目地部側へ傾斜状態で突出するように固定された支持台と、この支持台に支持されるように後端下部が該支持台と前記他方の目地部側床躯体との間に挿入されるクサビ状の支持片が形成され、先端部が前記目地プレート支持凹部を覆うように支持される目地プレートと、この目地プレートの後端部の回動および所定量以上の上方への突出を阻止する移動規制手段とからなることを特徴とする床用目地装置。
【請求項２】
目地プレートの先端部あるいは後端部のいずれか一方あるいは両方に先端部が上下方向に回動できるカバープレートが取付けられているとともに、目地プレートの支持片は支持台で形成される凹部より小さな幅寸法に形成されていることを特徴とする請求項1記載の床用目地装置。
【請求項３】
目地プレートの中央部より後端部側の底面には目地プレートの一方の目地部側床面への突出時に、該目地プレートをほぼ水平状態に保つことができるように、後端部側が順次下方へ突出する傾斜面状の水平保持突片が形成されていることを特徴とする請求項1または請求項２に記載された床用目地装置。
【発明の詳細な説明】
【技術分野】
【０００１】
本発明は目地部を介して設けられた左右の床躯体間の目地部を覆う床用目地装置に関する。
【背景技術】
【０００２】
従来、この種の床用目地装置は目地部を介して建てられた左右の建物の一方の床面に該目地部に開口するように形成された一方の凹部と、前記目地部を覆うとともに、前記一方の凹部も一端部で覆う目地プレートと、この目地プレートの他端部を支持する前記左右の建物の他方の目地部側の躯体に取付けられた少なくとも２個以上のガイド筒と、前記目地プレートの他端部寄りの底面に固定された前記ガイド筒にそれぞれ挿入されるガイドピンと、前記目地部が地震等によって狭くなると前記目地プレートの一端部を一方の床面上にスライド移動させる目地プレートスライド移動機構と、前記目地プレートの他端部寄りの底面に固定された一端部が傾斜面のせり上げプレートと、一端部が前記他方の建物の目地部側の躯体に枢支され、他端部が前記一方の建物の目地部側の躯体に取付けられたレールにスライド移動あるいは枢支された、前記目地部が地震等によって狭くなると前記せり上げプレートの傾斜面と当接して、該せり上げプレートを上方へ押し上げるせり上げ機構とで構成されている。
【０００３】
このため、目地部が狭くなった場合に、目地プレートの後端部をせり上げるための機構が複雑で、コスト高になるという欠点があるとともに、目地プレートの両端部にガイドピン収納部を形成しなければならず、目地プレートの構造が複雑でコスト高になるという欠点があり、また目地プレートの回動時に目地プレートの後端部の上部と床面の端部とが大きな力で衝突して損傷しやすいという欠点があった。
【特許文献１】特許第３４０２３０７号
【発明の開示】
【発明が解決しようとする課題】
【０００４】
本発明は以上のような従来の欠点に鑑み、目地部が狭くなり目地プレートの先端部が上方へ回動すると、この回動によって目地プレートの後端部を自動的に上方へスライド移動させて、目地プレートの後端部の上部が床躯体の上端部に大きな力が加わるのを効率よく阻止し、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の一方の目地部側床面に反目地部側が傾斜面に形成された目地プレート支持凹部と、この目地プレート支持凹部と対応する他方の目地部側床躯体の、該目地プレート支持凹部の下面部位よりも下部位置に、上部が目地部側へ傾斜状態で突出するように固定された支持台と、この支持台に支持されるように後端下部が該支持台と前記他方の目地部側床躯体との間に挿入されるクサビ状の支持片が形成され、先端部が前記目地プレート支持凹部を覆うように支持される目地プレートと、この目地プレートの後端部の回動および所定量以上の上方への突出を阻止する移動規制手段とで床用目地装置を構成している。
【発明の効果】
【０００７】
以上の説明から明らかなように、本発明にあっては次に列挙する効果が得られる。
【０００８】
（１）目地部を介して設けられた左右の床躯体の一方の目地部側床面に反目地部側が傾斜面に形成された目地プレート支持凹部と、この目地プレート支持凹部と対応する他方の目地部側床躯体の、該目地プレート支持凹部の下面部位よりも下部位置に、上部が目地部側へ傾斜状態で突出するように固定された支持台と、この支持台に支持されるように後端下部が該支持台と前記他方の目地部側床躯体との間に挿入されるクサビ状の支持片が形成され、先端部が前記目地プレート支持凹部を覆うように支持される目地プレートと、この目地プレートの後端部の回動および所定量以上の上方への突出を阻止する移動規制手段とで構成されているので、地震等によって目地部が狭くなり、目地プレートの先端部が上方へ回動すると、目地プレートの後端部が他方の目地部側床躯体に当接するとともに、支持片が支持台の傾斜面上をスライド移動して、目地プレートの後端部を上方へ押し上げることができる。
したがって、目地プレートの先端部が大きく上方へ突出するのを防止できるとともに、目地プレートの後端部の上部が床躯体の上端部に大きな力が加わるのを効率よく阻止して損傷を防止し、安全に使用することができる。
【０００９】
（２）前記（１）によって、目地プレートに支持片を形成するとともに、該支持片の支持台を設けるだけでよいので、構造が簡単で、低コストで製造することができる。
【００１０】
（３）前記（１）によって、目地プレートの先端部が上方へ突出する場合、目地プレートの後端部は他方の目地部側床躯体に当接しているため、隙間がなく、安全に使用することができる。
【００１１】
（４）請求項２も前記（１）〜（３）と同様な効果が得られるとともに、目地部が上方へ移動しても目地プレートの両端部に段差が生じるのを確実に防止でき、より安全に使用することができる。
【００１２】
（５)請求項３も前記（１）〜（３）と同様な効果が得られるとともに、水平保持突片によって目地部が狭くなった場合に、効率よく目地プレートを水平状態に保つことができる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は目地部２を介して設けられた左右の床躯体３、３の目地部２を覆う本発明の床用目地装置で、この床用目地装置１は前記左右の床躯体３、３の一方の目地部側床面に反目地部側が傾斜面４に形成された目地プレート支持凹部５と、この目地プレート支持凹部５と対応する他方の目地部側床躯体３の、該目地プレート支持凹部５の下面部位に上部が位置するように固定された上部が目地部側へほぼ４５度の傾斜状態で突出する支持台６と、この支持台６に支持されるように後端下部が該支持台６と前記他方の目地側床躯体３との間に挿入されるクサビ状の支持片７が形成され、先端部が前記目地プレート支持凹部５を覆うように支持される目地プレート８と、この目地プレート８の後端部の回動および所定量以上の上方への突出を阻止する移動規制手段９と、前記目地プレート８の先端部と後端部とに必要に応じてヒンジ部材１０、１０を介して取付けられるカバープレート１１、１１とで構成されている。
【００１５】
前記支持台６は図３に示すように、前記他方の目地部側床躯体３の上部側を覆うように複数本のアンカーボルト１２で固定される固定板１３と、この固定板１３のほぼ中央部より目地部２側へほぼ４５度の傾斜状態で突出する支持バー１４とで構成されている。
【００１６】
前記目地プレート８は図４に示すように、金属材製の浅皿状の目地プレート本体１５と、この目地プレート本体１５内にモルタル１６を充填して上部に貼られたタイル等の床化粧板１７と、前記目地プレート本体１５の後端の底面に後端面と同一面となるように下方へ突出形成された先端部が円弧のクサビ状の支持片７とで構成されている。
なお、前記目地プレート８の後端部の上面と前記他方の目地部側床躯体３の上面とが同一面となるように設定し、目地プレート８の先端部が上方へ回動した場合に目地プレート８の後端部の上面と他方の目地部側床躯体３の上面とが同一となるように、前記支持台６の支持バー１４の傾斜(目地部側床躯体３の上面を支点とした円弧形状)を設定することにより、該部位のカバープレート１１は不要となる。
【００１７】
前記移動規制手段９は図５に示すように、前記目地プレート８の支持片７の両端部寄りの部位に螺合固定された移動量規制ボルト１８、１８と、この移動量規制ボルト１８、１８が挿入される前記支持台６の支持バー１４に形成された長孔状のガイド溝１９、１９とで構成されている。
【００１８】
上記構成の床用目地装置１は、通常時には左右の床躯体３、３の上面と目地プレート８の上面とがほぼ同一面となった状態で目地部２を覆っている。
目地部２が広くなると、図６に示すように目地プレート８の後端部が他方の床躯体３に支持台６や移動規制手段９を介して取付けられているため、ほぼ一体となって移動し、目地プレート８の先端部が目地プレート支持凹部５をスライド移動して、その揺れ動きを吸収する。
目地部２が狭くなると、図７に示すように目地プレート８の先端部が目地プレート支持凹部５の傾斜面４上をスライド移動して、一方の床躯体３の上方へ突出する。この時、目地プレート８の後端部は他方の目地部側床躯体３に固定された支持台６の固定板１３と接触するとともに、支持片７の下部が支持バー１４に沿って上方へ移動し、目地プレート８の後端部を上方へ自動的に押し上げ、結果として目地プレート８の先端部が大きく上方へ突出するのを阻止する。
なお、左右の床躯体３、３の揺れ動きが停止すると自動的に元の状態へ戻る。
[発明を実施するための異なる形態]
【００１９】
次に、図８ないし図１４に示す本発明を実施するための異なる形態につき説明する。なお、これらの本発明を実施するための異なる形態の  説明に当って、前記本発明を実施するための最良の第１の形態と同一構成部分には同一符号を付して重複する説明を省略する。
【００２０】
図８ないし図１１に示す本発明を実施するための第２の形態において、前記本発明を実施するための最良の第１の形態と主に異なる点は、目地プレート８Ａの中央部より後端部側の底面に目地プレート８Ａの一方の目地部側床面への突出時に、該目地プレート８Ａをほぼ水平状態に保つことができるように、後端部側が順次下方へ突出する傾斜面状の水平保持突片２０を形成するとともに、目地プレート支持凹部５を覆うように金属材製の支持プレート２１を固定した点で、このように構成した床用目地装置１Ａにしても、前記本発明を実施するための最良の第１の形態と同様な作用効果が得られるとともに、目地部２が狭くなった場合により、効率よく目地プレート８Ａを水平に保持することができる。
【００２１】
図１２ないし図１４に示す本発明を実施するための第３の形態において、前記本発明を実施するための第２の形態と主に異なる点は、への字状に形成した支持台６Ａを用いるとともに、他方の目地部側床躯体３の角部にアングル状の保護金具２２を固定した点で、このように構成した床用目地装置１Ｂにしても、前記本発明を実施するための第２の形態と同様な作用効果が得られる。
【産業上の利用可能性】
【００２２】
本発明は床用目地装置を製造する産業で利用される。
【図面の簡単な説明】
【００２３】
【図１】本発明を実施するための最良の第１の形態の平面図。
【図２】図１の２−２線に沿う断面図。
【図３】本発明を実施するための最良の第１の形態の支持台の説明図。
【図４】本発明を実施するための最良の第１の形態の目地プレートの説明図。
【図５】本発明を実施するための最良の第１の形態の移動規制手段の説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための第２の形態の平面図。
【図９】図８の９−９線に沿う断面図。
【図１０】本発明を実施するための第２の形態の目地プレートの説明図。
【図１１】本発明を実施するための第２の形態の目地部が狭くなった動作説明図。
【図１２】本発明を実施するための第３の形態の平面図。
【図１３】図１２の１３−１３線に沿う断面図。
【図１４】本発明を実施するための第３の形態の支持台の説明図。
【符号の説明】
【００２４】
１、１Ａ、１Ｂ：床用目地装置、          ２：目地部、
３：床躯体、                                              ４：傾斜面、
５：目地プレート支持凹部、                  ６、６Ａ：支持台、
７：支持片、                                              ８、８Ａ：目地プレート、
９：移動規制手段、                                  １０：ヒンジ部材、
１１：カバープレート、                          １２：アンカーボルト、
１３：固定板、                                                        １４：支持バー、
１５：目地プレート本体、                      １６：モルタル、
１７：床化粧板、                                      １８：移動規制ボルト、
１９：ガイド溝、                                      ２０：水平保持突片、
２１：支持プレート、                              ２２：保護金具。                                      
【図１】
2008088721.tif 000003
【図２】
2008088721.tif 000004
【図３】
2008088721.tif 000005
【図４】
2008088721.tif 000006
【図５】
2008088721.tif 000007
【図６】
2008088721.tif 000008
【図７】
2008088721.tif 000009
【図８】
2008088721.tif 000010
【図９】
2008088721.tif 000011
【図１０】
2008088721.tif 000012
【図１１】
2008088721.tif 000013
【図１２】
2008088721.tif 000014
【図１３】
2008088721.tif 000015
【図１４】
2008088721.tif 000016